(57)【要約】【課題】画像投影装置の未使用状態をより確実に検知して省エネルギー効果と利便性との両立を図ることができる画像投影装置を提供する。【解決手段】投影中の画像の画像データの変化量を検出する検出手段と、通常モードを実行しているときに、検出手段で検出した画像データの変化量が所定値未満又は所定値以下である時間を計時する計時手段とを備える。前記計時手段で計時した時間が所定時間以上になったとき又は所定時間を超えたときに通常モードから電力削減モードに移行する。【選択図】図１
2014174260.tif 000002
【特許請求の範囲】
【請求項１】
電力を消費する複数の電力消費装置と、前記複数の電力消費装置それぞれに所定の電力を供給する通常モードと、前記複数の電力消費装置の少なくとも一部に供給する電力を前記通常モードの実行時よりも削減する電力削減モードとを選択的に実行する制御手段と、を備え、画像データに基づいて画像を投影する画像投影装置であって、
投影中の画像の画像データの変化量を検出する検出手段と、
前記通常モードを実行しているときに、前記検出手段で検出した前記画像データの変化量が所定値未満又は所定値以下である時間を計時する計時手段と、を備え、
前記計時手段で計時した時間が所定時間以上になったとき又は所定時間を超えたときに、前記通常モードから前記電力削減モードに移行することを特徴とする画像投影装置。
【請求項２】
請求項１の画像投影装置において、
前記複数の電力消費装置は、光源と冷却装置とを含み、
前記電力削減モードでは、前記光源及び前記冷却装置の少なくとも一方に供給する電力を前記通常モードの実行時よりも削減することを特徴とする画像投影装置。
【請求項３】
請求項１又は２の画像投影装置において、
入力画像と操作用表示要素の画像とを合成して前記投影対象の画像の画像データを生成する手段を備えたことを特徴とする画像投影装置。
【請求項４】
請求項１乃至３のいずれかの画像投影装置において、
前記電力削減モードを実行しているときに、前記検出手段で検出した前記画像データの変化量が所定値よりも大きくなったとき又は所定値以上になったとき、前記電力削減モードから前記通常モードに復帰することを特徴とする画像投影装置。
【請求項５】
請求項１乃至４のいずれかの画像投影装置において、
前記検出手段は、前記投影対象の画像の画像データを２値化し、２値化したデータに基づいて前記変化量を検出することを特徴とする画像投影装置。
【請求項６】
請求項１乃至５のいずれかの画像投影装置において、
前記計時手段で用いられる前記所定値を変更する手段を備えたことを特徴とする画像投影装置。
【請求項７】
請求項１乃至６のいずれかの画像投影装置において、
前記通常モードから前記電力削減モードへの移行の判定に用いられる前記所定時間を変更する手段を備えたことを特徴とする画像投影装置。
【発明の詳細な説明】
【技術分野】
【０００１】
本発明は、画像を投影する画像投影装置に関するものである。
【背景技術】
【０００２】
この種の画像投影装置において、投影中の画像が変化しない状態が続いている場合は、画像が投影されたまま画像投影装置が使用されていない可能性が高い。そのため、投影中の画像が変化しない状態が続いている画像投影装置の光源の光量を削減するなどの消費電力を削減する動作モードに移行しても、利用者の利便性を損なうことがない。
【０００３】
そこで、従来、省エネルギーのために、投影中の画像が一定期間変化しない場合、電力が供給される光源の光量を削減するなどして消費電力を削減する動作モードに移行する画像投影装置が知られている。例えば、特許文献１には、０．５×Ｐ（Ｗ）よりも高い電力で高圧放電ランプを点灯しているとき、一定の期間、プロジェクタの画像信号に変化が無い場合に０．５×Ｐ（Ｗ）以下の電力モードに移行する機能を備えたプロジェクタ（画像投影装置）が開示されている。
【発明の概要】
【発明が解決しようとする課題】
【０００４】
しかしながら、上記従来の画像投影装置では、投影中の画像が一定期間全く変化しない場合にのみ消費電力を削減する動作モードに移行する。そのため、外部装置から入力された投影対象の元画像（入力画像）と、画像にわずかな変化をもたらす操作用表示要素とが合成された合成画像を投影する場合、次のような問題が発生するおそれがある。すなわち、上記画像にわずかな変化をもたらす操作用表示要素を含む合成画像を投影していると、元画像に変化がない場合でも、投影中の画像が変化し続ける。そのため、元画像に変化がない画像投影装置の未使用状態であっても、画像投影装置が使用状態であると誤判断され、上記消費電力を削減する動作モードに移行しない。例えば、上記元画像である文書の画像と、画像にわずかな変化をもたらす点滅状態のカーソルとが合成された合成画像を投影していると、文書の画像自体に変化がない場合でも、点滅しているカーソルによって投影中の画像が変化し続ける。そのため、文書の画像自体に変化がない画像投影装置の未使用状態であっても、画像投影装置が使用状態であると誤判断され、上記消費電力を削減する動作モードに移行しない。
【０００５】
本発明は以上の問題点に鑑みなされたものであり、その目的は、画像投影装置の未使用状態をより確実に検知して省エネルギー効果と利便性との両立を図ることができる画像投影装置を提供することである。
【課題を解決するための手段】
【０００６】
上記目的を達成するために、請求項１の発明は、電力を消費する複数の電力消費装置と、前記複数の電力消費装置それぞれに所定の電力を供給する通常モードと、前記複数の電力消費装置の少なくとも一部に供給する電力を前記通常モードの実行時よりも削減する電力削減モードとを選択的に実行する制御手段と、を備え、画像データに基づいて画像を投影する画像投影装置であって、投影中の画像の画像データの変化量を検出する検出手段と、前記通常モードを実行しているときに、前記検出手段で検出した前記画像データの変化量が所定値未満又は所定値以下である時間を計時する計時手段と、を備え、前記計時手段で計時した時間が所定時間以上になったとき又は所定時間を超えたときに、前記通常モードから前記電力削減モードに移行することを特徴とするものである。
【発明の効果】
【０００７】
本発明によれば、画像投影装置の未使用状態をより確実に検知して省エネルギー効果と利便性との両立を図ることができる。
【図面の簡単な説明】
【０００８】
【図１】本発明の実施形態に係るプロジェクタの内部構成の一例を示すブロック図。
【図２】プロジェクタが受信した編集中の文書の画像をスクリーンへ映している投影画像の一例を示す説明図。
【図３】プロジェクタが受信した編集中の文書の画像をスクリーンへ映している投影画像の他の例を示す説明図。
【図４】操作部からプロジェクタへの入力画像を選択する操作画面を重ね合わせた画像をスクリーンへ映している投影画像の説明図。
【図５】ランプあるいは冷却ファンの電力を削減する省エネモードへの移行の判定に用いられる判定時間１を設定する動作の一例を示すフローチャート。
【図６】画像デバイスをＯＮ／ＯＦＦするＲＧＢ２値データの変化有り／無しを判定するときに用いられるカーソルサイズを設定する動作の一例を示すフローチャート。
【図７】ランプあるいは冷却ファンの電力を削減する省エネモードへの移行を許可する設定動作の一例を示すフローチャート。
【図８】省エネモードへ移行するまでの時間を計時するタイマ動作の一例を示すフローチャート。
【図９】投影画像の画像データの変化量がカーソルサイズに収まっているかを判定する動作の一例を示すフローチャート。
【図１０】ランプあるいは冷却ファンの電力を削減する省エネモードへ移行する動作及び省エネモードから通常モードへ復帰する動作の一例を示すフローチャート。
【図１１】給電装置、冷却ファン及びファン（ＦＡＮ）制御部の電力をオフするランプオフモードへの移行の判定に用いられる判定時間２を設定する動作の一例を示すフローチャート。
【図１２】カラーホイール、カラーホイール制御部、画像デバイス及びデバイス制御部それぞれに供給する電力をオフする省エネモードへの移行判定の動作の一例を示すフローチャート。
【図１３】給電装置、冷却ファン及びファン（ＦＡＮ）制御部それぞれに供給する電力をオフするランプオフモードへの移行判定の動作の一例を示すフローチャート。
【発明を実施するための形態】
【０００９】
以下、図面を参照して本発明の実施形態を説明する。
図１は、本発明の実施形態に係るカラー画像を投影可能な画像投影装置としてのプロジェクタ１の内部構成の一例を示すブロック図である。なお、図１中の白矢印は光を示す。また、図１では、プロジェクタ１内部の各負荷に電力を供給する電力線の記載は省略している。
【００１０】
図１において、電力供給手段としての直流電源２は、商用電源１００に接続されると、操作手段としての操作部１６と、制御手段及びデータ処理手段としての制御処理部２１とに電力を供給する。制御処理部２１は、操作部１６から電源ＯＮの指示があると、直流電源２を制御し、プロジェクタ１内の複数の負荷である電力消費装置それぞれに電力を供給する。光源駆動手段としての給電装置３は、制御処理部２１の指示に従って、光源としてのランプ２４の光量に必要な電力を、ランプ２４に供給する。
【００１１】
ここで、電力を消費する複数の電力消費装置には、上記ランプ２４のほか、後述のカラーホイール２３、カラーホイール制御部６、画像デバイス１２、デバイス制御部１４が含まれる。更に、複数の電力消費装置には、後述の給電装置３、冷却手段としての冷却ファン４、冷却制御手段としてのファン（ＦＡＮ）制御部５などが含まれる。
【００１２】
制御処理部２１は、前記複数の電力消費装置それぞれに所定の電力を供給する通常モードと、前記複数の電力消費装置の少なくとも一部に供給する電力を通常モードの実行時よりも削減する電力削減モードとを選択的に実行する。電力削減モードは、省エネルギーモード、省エネモード、ランプオフモードなどと称される場合もある。制御処理部２１が通常モードから電力削減モードへ移行する判断を行ったときは、給電装置３は、通常モードより低い電力をランプ２４へ供給する。
【００１３】
ランプ２４は、給電装置３から供給される電力に応じた光量を放射する。給電装置３は、電力削減モードの実行時、給電装置３から供給される電力が削減されるため、ランプ２４の光量と共にランプ２４の発熱量も低下する。ランプ２４からの光は、カラーホイール２３に含まれるいずれかのフィルタを通過する。カラーホイール２３に含まれるフィルタで定められる順で複数色の光の夫々が繰り返し投影画像生成手段としての画像デバイス１２へ照射される。画像デバイス１２へ照射される光は、画像を形成した画像デバイス１２上で反射され、光学系１３を通過して外部に投射され、画像デバイス１２上の画像がスクリーン２００へ投影される。スクリーン２００は、プロジェクタ１の投影画像を映すスクリーンである。
【００１４】
カラーホイール２３は、例えば円盤状に形成され、回転可能に構成されており、回転軸回りに夫々に固有の色の光を透過させる複数のフィルタ（フィルタ領域）を配してなっている。カラーホイール２３は、例えば白色光の中からＲＧＢの各色の光を通過させるＲＧＢ３色のフィルタからなる。
【００１５】
画像デバイス１２は、例えばＤＭＤ（デジタルミラーデバイス）を用いて構成され、ＲＧＢ各色の画像を時分割で形成する構成となっている。また、画像デバイス１２には、必要な画像を形成させる処理を行うデバイス制御部１４が接続されている。デバイス制御部１４は制御処理部２１に接続されている。
【００１６】
光学系１３は、投射レンズ、投射レンズの位置を調整するモータ、モータを駆動させるための駆動回路等からなる。
【００１７】
冷却装置である冷却ファン（ＦＡＮ）４は、発熱するランプ２４を冷却する。電力削減モードの実行時、ランプ２４の発熱量の低下と合わせて、冷却ファン４の回転数も低下する。冷却装置の制御手段であるファン（ＦＡＮ）制御部５は、制御処理部２１の指示に従って、冷却ファン４を高速あるいは低速に回転させる。
【００１８】
カラーホイール制御部６は、制御処理部２１からの回転制御信号に従って、カラーホイール２３を一定速度で回転するよう速度制御する。また、カラーホイール２３の中のいずれのフィルタを光が通過しているかの回転位置を検出する手段を備えており、検出した回転位置を示す回転位置検出信号を制御処理部２１へ出力する。
【００１９】
デバイス制御部１４は、制御処理部２１で画像処理された２値のＲＧＢ画像データに基づいて、画像デバイス１２の個々の画素に対応するマイクロミラーの動作状態をＯＮ／ＯＦＦ制御する。この制御により、画像デバイス１２に入力された映像信号に基づくカラー画像が形成される。
【００２０】
画像データ記憶手段としてのメモリ２０は、画像データ受信手段としての受信部１５から入力される画像データを処理した、画像デバイス１２を制御するためのＲＧＢ２値データを保持する。
【００２１】
操作手段としての操作部１６は、ユーザの操作を受け付けるためのキーと、ユーザに機器の状態を通知する表示部（ＬＥＤなど）を有する。
【００２２】
受信部１５は、パーソナルコンピュータ（ＰＣ）又は映像再生装置等の外部機器（外部装置）から送信される多値のデジタル画像データや、アナログの画像データが入力され、所定のデジタル画像データに変換し、制御処理部２１へ送信する。
【００２３】
制御処理部２１は、演算を行うプロセッサ、演算に必要なプログラム等の情報を記憶するＲＯＭ、及び一時的に発生した情報を記憶するＲＡＭ等を備える。制御処理部２１は、受信部１５から送出されるＲＧＢ信号に対してスケーリング処理を行って、１画面分の画素数を画像デバイス１２のマイクロミラー数に合わせたＲＧＢ信号を生成する。
また、制御処理部２１は、生成したＲＧＢ信号に対してブライトネス、コントラスト、黒バランスおよび白バランスの調整、ガンマ補正、ディザ処理等を施し、２値の外部入力ＲＧＢ画像データを得る。
また、制御処理部２１は、操作部１６のキー操作信号に従って、２値のＲＧＢ操作画面データを生成し、２値の外部入力ＲＧＢ画像データと合成し、画像デバイス１２を制御するためのＲＧＢ２値データをメモリ２０に保持する。
また、制御処理部２１は、カラーホイール制御部６を制御してカラーホイール２３を適切に駆動させ、給電装置３の動作を制御してランプ２４を適切に点灯させ、デバイス制御回路１４の動作を制御して画像デバイス１２に適切な画像を形成させる処理を行う。
また、制御処理部２１は、カラーホイール駆動部２２からの回転位置検出信号に従って、各時点でいずれの色のフィルタを光が通過しているかを検知し、カラーホイール２３の回転位置に合わせてデバイス制御部１４の動作を制御する。この制御により、画像データに基づいた各色用の画像を画像デバイス１２に時分割で表示させる。
また、制御処理部２１は、通常モードと電力削減モードとを有するプロジェクタ１全体の制御を司る。
【００２４】
また、制御処理部２１は、投影中の画像の画像データの変化量を検出する検出手段、及び、通常モードを実行しているときに検出手段で検出した画像データの変化量が所定値未満又は所定値以下である時間を計時する計時手段としても機能する。更に、外部機器（外部装置）から受信した画像とプロジェクタ１を操作するための操作用表示要素の画像とを合成して投影対象の画像の画像データを生成する手段としても機能する。そして、制御処理部２１は、上記計時した時間が所定時間以上になったとき又は所定時間を超えたときに、通常モードから電力削減モードに移行するように制御する。更に、制御処理部２１は、電力削減モードを実行しているときに、前記画像データの変化量が所定時間よりも大きくなったとき又は所定時間以上になったとき、電力削減モードから通常モードに復帰するように制御する。
【００２５】
また、操作部１６は、前記計時手段としての制御処理部２１で用いられる前記所定値を変更する手段や、通常モードから電力削減モードへの移行の判定に用いられる前記所定時間（後述の判定時間）を変更する手段としても機能する。
【００２６】
図２及び図３はそれぞれ、パソコン（ＰＣ）で編集中の文書のファイルをプロジェクタ１へ送信し、プロジェクタ１が受信した編集中の文書の画像をスクリーン２００へ映している投影画像の説明図である。編集中の文書において、文字の入力位置は、操作用表示要素としてのカーソルの点滅で示されている。図２はカーソルが点灯している状態を示し、図３はカーソルが消えている状態を示している。パソコン（ＰＣ）で編集中の文書では、カーソルの点滅が繰り返される。パソコン（ＰＣ）は、カーソル表示が互いに異なる画像を繰り返しプロジェクタ１へ送信し、プロジェクタ１は図２及び図３の画像を繰返し投影する。
【００２７】
図４は、上記カーソルが表示されない編集が完了した画像をパソコン（ＰＣ）から送信し、操作部１６からプロジェクタ１への入力画像を選択する操作画面を重ね合わせた画像をスクリーン２００へ映している投影画像の説明図である。パソコン（ＰＣ）から送信される画像に変化が無くても、操作部１６を操作することで、スクリーン２００に映し出される画像には操作画面が合成されるため、変化する。
【００２８】
次に、本発明の実施形態に係るプロジェクタ１の動作について説明する。
なお、以下の動作の説明及び参照する図面において、カラーホイール２３、カラーホイール制御部６、画像デバイス１２及びデバイス制御部１４それぞれに供給する電力をオフする電力削減モードを、「省エネモード」又は「省エネ」と呼ぶ。また、給電装置３、冷却ファン４及びファン（ＦＡＮ）制御部５それぞれに供給する電力をオフにすることによりランプをオフにする電力削減モードを、「ランプオフモード」又は「ランプオフ」という。
【００２９】
図５は、ランプ２４あるいは冷却ファン４の電力を削減する省エネモードへの移行の判定に用いられる判定時間１を設定する動作の一例を示すフローチャートである。
図５において、まず、操作部１６のキー操作により判定時間１に対する変更要求があるか否かを判定する（Ｓ５０１）。ここで、上記「判定時間１」は、省エネモードへの移行の判定に用いられる所定時間であり、所定のタイミングから計時された経過時間と比較される値である。
上記Ｓ５０１で、操作部１６からの上記判定時間１に対する変更要求があった場合は（Ｓ５０１：Ｙ）、上記判定時間１を、操作部１６のキー操作によって設定された設定値に変更する（Ｓ５０２）。一方、操作部１６からの上記判定時間１に対する変更要求が無い場合は（Ｓ５０１：Ｎ）、上記判定時間１の変更は行わない。
【００３０】
図６は、画像デバイス１２をＯＮ／ＯＦＦするＲＧＢ２値データの変化有り／無しを判定するときに用いられるカーソルサイズを設定する動作の一例を示すフローチャートである。
図６において、まず、操作部１６のキー操作によりカーソルサイズに対する変更要求があるか否かを判定する（Ｓ６０１）。ここで、上記「カーソルサイズ」は、画像デバイス１２をＯＮ／ＯＦＦするＲＧＢ２値データの変化有り／無しが判定されるときに用いられる所定値であり、上記ＲＧＢ２値データの変化量と比較される値である。
上記Ｓ６０１で、操作部１６からの上記カーソルサイズに対する変更要求があった場合は（Ｓ６０１：Ｙ）、上記カーソルサイズを、操作部１６のキー操作によって設定された設定値に変更する（Ｓ６０２）。一方、操作部１６からの上記カーソルサイズに対する変更要求が無い場合は（Ｓ６０１：Ｎ）、上記カーソルサイズの変更は行わない。
【００３１】
図７は、ランプ２４あるいは冷却ファン４の電力を削減する省エネモードへの移行を許可する設定動作の一例を示すフローチャートである。
図７において、まず、操作部１６のキー操作により省エネモード移行許可設定に対する変更要求があるか否かを判定する（Ｓ７０１）。
次に、操作部１６からの省エネモード移行許可設定に対する変更要求があった場合は（Ｓ７０１：Ｙ）、省エネモードへの移行を指示する省エネモードフラグをクリアし、省エネモードからの復帰を指示する（Ｓ７０２）。また、操作部１６からのキー操作により省エネモードへの移行を許可する設定が行われたか否かを判定する（Ｓ７０３）。
上記Ｓ７０３で、操作部１６のキー操作により省エネモードへの移行を許可する設定が行われた場合は（Ｓ７０３：Ｙ）、省エネモードへの移行を許可する省エネフラグをセットし、省エネモードへの移行を許可する（Ｓ７０４）。そして、プロジェクタ１の投影画像の変化を検出するための基準データに、メモリ２０に保持されているＲＧＢ２値データをセットする（Ｓ７０５）。
一方、上記Ｓ７０３で、操作部１６からのキー操作により省エネモードへの移行を許可しない設定が行われた場合は（Ｓ７０３：Ｎ）、省エネモードへの移行を許可する省エネフラグをクリアし、省エネモードへの移行を許可しない（Ｓ７０６）。そして、プロジェクタ１の投影画像の変化を検出するための基準データをクリアする（Ｓ７０７）。
また、上記Ｓ７０１で、操作部１６から省エネモード移行許可設定に対する変更要求が無い場合は（Ｓ７０１：Ｎ）、省エネモード移行許可設定の変更は行わない。
【００３２】
図８は、省エネモードへ移行するまでの時間を計時するタイマ動作の一例を示すフローチャートである。
図８において、まず、省エネモードへの移行を許可する省エネフラグの値が判断される（Ｓ８０１）。
上記Ｓ８０１で、省エネフラグがクリア（＝０）され、省エネモードへの移行が許可されていない場合は（Ｓ８０１：Ｎ）、次のように動作する。すなわち、省エネモード移行までの時間を計時するタイマをクリアし（Ｓ８０２）、省エネモードへ移行する時間に達したことを示すタイマフラグをクリア（＝０）し、省エネモードへ移行する時間に達していないとする（Ｓ８０３）。
一方、上記Ｓ８０１で、上記省エネフラグがセット（＝１）され、省エネモードへの移行を許可されている場合は（Ｓ８０１：Ｙ）、省エネモードへ移行するまでの時間を計時するタイマをクリアするクリアフラグがセットされているか否かが判定される（Ｓ８０４）。
ここで、上記クリアフラグがセット（＝１）されている場合は（Ｓ８０４：Ｙ）、省エネモード移行までの時間を計時するタイマをクリアし（Ｓ８０２）、上記タイマフラグをクリア（＝０）し、省エネモードへ移行する時間に到達していないとする。
一方、上記Ｓ８０４で、クリアフラグがクリア（＝０）されている場合は（Ｓ８０４：Ｎ）、タイマの値と、図５のフローで設定された省エネモード移行までの判定時間１とを比較し、タイマの値が判定時間１以上か否かを判定する（Ｓ８０５）。なお、タイマの値が判定時間１以上か否かを判定する代わりに、タイマの値が判定時間１を超えているか否かを判定してもよい。
上記Ｓ８０５で、タイマの値が判定時間１未満の場合（Ｓ８０５：Ｎ）は、タイマ動作を継続し（Ｓ８０６）、タイマフラグをクリア（＝０）し、省エネモードへ移行する時間に到達していないとする（Ｓ８０３）。
一方、上記タイマの値が判定時間１以上の場合すなわち判定時間１に到達している場合は（Ｓ８０５：Ｙ）、省エネモード移行までの時間を計時するタイマを停止する（Ｓ８０７）。そして、省エネモードへ移行する時間に到達したことを示すタイマフラグをセット（＝１）し、省エネモードへ移行する時間に到達したとする（Ｓ８０８）。
【００３３】
図９は、投影画像の画像データの変化量が図６で設定したカーソルサイズに収まっているかを判定する動作の一例を示すフローチャートである。
図９において、まず、メモリ２０に保持されている基準データと、プロジェクタ１の投影画像となるＲＧＢ２値データとの間で、互いに対応する画素について、値が異なる画素の数を計数する。
なお、上記値が異なる画素の合計は、例えば、上記基準データとＲＧＢ２値データとの間の排他的論理和（ＥＸＯＲ）の結果を集計して求めることができる。また、上記値が異なる画素の計数は、ＣＰＵ上で実行されるプログラム（ソフトウェア）で行ってもよいが、ハードウェアで行ってもよい。
次に、上記値が異なる画素数が図６で設定したカーソルサイズ未満か否かを判定する（Ｓ９０２）。なお、この判定は、上記値が異なる画素数が図６で設定したカーソルサイズ以下か否かについて判定するようにしてもよい。
上記値が異なる画素数が、図６で設定したカーソルサイズ未満の場合（Ｓ９０２：Ｎ）、メモリ２０に保持されている基準データの書換えは行わない（Ｓ９０３）。また、省エネモードへ移行するまでの時間を計時するタイマをクリアするクリアフラグをクリア（＝０）する（Ｓ９０４）。
一方、上記値が異なる画素数が、図６で設定したカーソルサイズ以上の場合は（Ｓ９０２：Ｙ）、投影画像が基準データから大きく変化したので、比較元の基準データを投影画像のＲＧＢ２値データに置き換える（Ｓ９０５）。そして、省エネモードへ移行するまでの時間を計時するタイマをクリアするクリアフラグをセット（＝１）する（Ｓ９０６）。
【００３４】
図１０は、ランプ２４あるいは冷却ファン４の電力を削減する省エネモードへ移行する動作及び省エネモードから通常モードへ復帰する動作の一例を示すフローチャートである。
図１０において、まず、上記省エネフラグがセット（＝１）され、省エネモードへの移行が許可されているか否かを判定する（Ｓ１００１）。ここで、上記省エネフラグがセットされ省エネモードへの移行が許可されている場合は（Ｓ１００１：Ｙ）、更に上記タイマフラグがセット（＝１）され、省エネモードへ移行する時間に到達しているか否かを判定する（Ｓ１００２）。
上記Ｓ１００２で、上記タイマフラグがセットされ省エネモードへ移行する時間に到達している場合は、省エネモードへの移行を指示する省エネモードフラグをセット（＝１）し、省エネモードへ移行する（Ｓ１００３）。
一方、上記省エネフラグがクリアされ省エネモードへの移行が不可とされている場合（Ｓ１００１：Ｎ）、又は、上記タイマフラグがクリアされ省エネモードへ移行する時間に到達していない場合（Ｓ１００２：Ｎ）は、次のように動作する。すなわち、省エネモードへの移行を指示する省エネモードフラグをクリア（＝０）し、通常モードへ復帰する（Ｓ１００４）。
【００３５】
図１１は、給電装置３、冷却ファン４及びファン（ＦＡＮ）制御部５の電力をオフするランプオフモードへの移行の判定に用いられる判定時間２を設定する動作の一例を示すフローチャートである。
図１１において、まず、操作部１６のキー操作により判定時間２に対する変更要求があるか否かを判定する（Ｓ１１０１）。ここで、上記「判定時間２」は、省エネモードの一種であるランプオフモードへの移行の判定に用いられる所定時間であり、所定のタイミングから計時された経過時間（継続時間）と比較される値である。
上記Ｓ１１０１で、操作部１６からの上記判定時間２に対する変更要求があった場合は（Ｓ１１０１：Ｙ）、上記判定時間２を、操作部１６のキー操作によって設定された設定値に変更する（Ｓ１１０２）。一方、操作部１６からの上記判定時間２に対する変更要求が無い場合は（Ｓ１１０１：Ｎ）、上記判定時間２の変更は行わない。
【００３６】
図１２は、カラーホイール２３、カラーホイール制御部６、画像デバイス１２及びデバイス制御部１４それぞれに供給する電力をオフする省エネモードへの移行判定の動作の一例を示すフローチャートである。
図１２において、まず、メモリ２０に保持されている省エネ移行タイマをクリアする時に投影していたＲＧＢ２値データ（基準画像データ）と、現在投影しているＲＧＢ２値データとを比較し、互いに対応する画素について値が異なる画素数を計数する。そして、値が異なる画素数の合計が図６で設定したカーソルサイズ未満であるか否かを判定する（Ｓ１２０１）。なお、この判定は、上記値が異なる画素数の合計が図６で設定したカーソルサイズ以下であるか否かについて判定してもよい。また、上記値が異なる画素数の合計は、例えば、比較する２値画像データどおしの排他的論理和（ＥＸＯＲ）の結果を集計して求めることができる。また、上記値が異なる画素の計数は、ＣＰＵ上で実行されるプログラム（ソフトウェア）で行ってもよいが、ハードウェアで行ってもよい。
次に、上記Ｓ１２０１で、上記値が異なる画素数すなわち変化した画素数が、図６で設定したカーソルサイズ未満の場合は（Ｓ１２０１：Ｙ）、画像変化無し、又は、カーソルが点滅しているとみなす。そして、画像変化が小さい状態が継続している継続時間を省エネ移行タイマで計時し、省エネ移行タイマで計時した継続時間が図５で設定した判定時間１を超えたか否かを判定する（Ｓ１２０２）。なお、この判定は、省エネ移行タイマで計時した継続時間が図５で設定した判定時間１以上になったか否かを判定してもよい。
上記Ｓ１２０２で、省エネ移行タイマで計時した継続時間が、図５で設定した判定時間１を超えた場合は（Ｓ１２０２：Ｙ）、省エネモードへ移行する。そして、カラーホイール２３、カラーホイール制御部６、画像デバイス１２及びデバイス制御部１４それぞれへ電力を供給する直流電源２の出力をオフする（Ｓ１２０３）。省エネモードでは、画像デバイス１２への電力が断たれるため、ランプ１２の光は、プロジェクタ１の内部に反射され、プロジェクタ１の外へ投射されない。
一方、上記Ｓ１２０１で、プロジェクタ１の投影画像となるＲＧＢ２値データの変化した画素数が、図６で設定したカーソルサイズ以上の場合（Ｓ１２０１：Ｎ）、すなわち、プロジェクタ１を利用者が使用している場合は、直流電源２の出力を全てオンし、通常モードへ復帰する（Ｓ１２０４）する。そして、省エネ移行タイマをクリアし、ランプオフモード移行判定用のランプオフ移行タイマをクリアする。また、基準画像データを現在投影しようとしている最新のＲＧＢ２値画像データに書き換える。
また、上記Ｓ１２０２で、省エネ移行タイマで計時した継続時間が判定時間１以下の場合（Ｓ１２０２：Ｎ）は、省エネモードへ移行しない。
【００３７】
図１３は、給電装置３、冷却ファン４及びファン（ＦＡＮ）制御部５それぞれに供給する電力をオフするランプオフモードへの移行判定の動作の一例を示すフローチャートである。
図１３において、まず、省エネモードに移行しているか否かを判定する（Ｓ１３０１）。省エネモードでは、画像デバイス１２への電力が断たれるため、ランプ１２の光は、プロジェクタ１の外へは投射されない。但し、操作部１６、受信部１５、制御部２１及びメモリ２０は給電されているので、プロジェクタ１の投影直前のＲＧＢ２値データは更新され続ける。
上記Ｓ１３０１で、省エネモードへ移行している場合は（Ｓ１３０１：Ｙ）、メモリ２０に保持されている基準画像データと、現在投影しているＲＧＢ２値データとを比較し、互いに対応する画素どおしについて値が異なる画素数を計数する。そして、値が異なる画素数の合計が図６で設定したカーソルサイズ未満であるかどうかを判定する（Ｓ１３０２）。この判定は、上記値が異なる画素数の合計が図６で設定したカーソルサイズ以下であるか否かについて判定してもよい。また、上記値が異なる画素数の合計は、例えば、比較する２値画像データどおしの排他的論理和（ＥＸＯＲ）の結果を集計して求めることができる。また、上記値が異なる画素の計数は、ＣＰＵ上で実行されるプログラム（ソフトウェア）で行ってもよいが、ハードウェアで行ってもよい。
次に、上記Ｓ１３０２で上記値が異なる画素数すなわち変化した画素数が、図６で設定したカーソルサイズ未満の場合は（Ｓ１３０２：Ｙ）、画像変化無し、又は、カーソルが点滅しているとみなす。そして、画像変化が小さい状態が継続している継続時間をランプオフ移行タイマで計時し、ランプオフ移行タイマで計時した継続時間が図１１で設定した判定時間２を超えたか否かを判定する（Ｓ１３０３）。なお、この判定は、省エネ移行タイマで計時した継続時間が図１１で設定した判定時間２以上になったか否かを判定してもよい。
上記Ｓ１３０３で、ランプオフ移行タイマで計時した継続時間が、図１１で設定した判定時間２を超えた場合（Ｓ１３０３：Ｙ）、すなわち、プロジェクタ１が未使用状態にある場合は、ランプオフモードへ移行する（Ｓ１３０４）。そして、給電装置３へ電力を供給する直流電源２の出力をオフすることでランプ２４をオフする。さらに、所定時間経過後、更に、ファン４及びファン（ＦＡＮ）制御部５へ電力を供給する直流電源２の出力をオフする。
一方、上記Ｓ１３０１で、省エネモードでは無い場合は、ランプオフモードへの移行判定動作は行わない（Ｓ１３０１：Ｎ）。
また、上記Ｓ１３０２で、プロジェクタ１の投影画像となるＲＧＢ２値データの変化した画素数が、図６で設定したカーソルサイズ以上の場合（Ｓ１３０２：Ｎ）、すなわち、プロジェクタ１が使用中である場合は、次のように動作する。すなわち、直流電源２の出力を全てオンし、通常モードへ復帰し、省エネ移行タイマ及びランプオフ移行タイマをそれぞれクリアし、基準画像データを現在投影しようとしている最新のＲＧＢ２値画像データに書き換える（Ｓ１３０５）。
また、上記Ｓ１３０３でランプオフ移行タイマで計時した継続時間が判定時間２以下の場合（Ｓ１３０３：Ｎ）は、ランプオフモードへ移行しない。
【００３８】
以上に説明したものは一例であり、本発明は、次の態様毎に特有の効果を奏する。
（態様Ａ）
電力を消費する複数の電力消費装置と、前記複数の電力消費装置それぞれに所定の電力を供給する通常モードと、前記複数の電力消費装置の少なくとも一部に供給する電力を前記通常モードの実行時よりも削減する電力削減モードとを選択的に実行する制御処理部２１などの制御手段と、を備え、画像データに基づいて画像を投影するプロジェクタ１などの画像投影装置であって、投影中の画像の画像データの変化量を検出する制御処理部２１などの検出手段と、前記通常モードを実行しているときに、前記検出手段で検出した前記画像データの変化量が所定値未満又は所定値以下である時間を計時する制御処理部２１などの計時手段と、を備え、前記計時手段で計時した時間が所定時間以上になったとき又は所定時間を超えたときに、前記通常モードから前記電力削減モードに移行する。
これによれば、上記実施形態について説明したように、通常モードを実行しているときに、画像データの変化量が所定値未満又は所定値以下である時間を、画像投影装置の未使用状態にある時間として計時することができる。この画像データの変化量が所定値未満又は所定値以下である時間には、画像投影装置が未使用状態にもかかわらず画像データがわずかに変化している時間も含めることができる。従って、上記画像データの変化量が所定値未満又は所定値以下である時間を計時することで、単に画像データが変化している時間を計時する場合に比して、画像投影装置が未使用状態にある時間をより正確に計時できる。しかも、このように計時した未使用状態にある時間が、所定時間以上になったとき又は所定時間を超えたときに、通常モードから電力削減モードに移行している。従って、画像投影装置の未使用状態をより確実に検知し、電力削減モードに移行することができる。よって、画像投影装置が使用状態にあるにもかかわらず電力削減モードに移行してしまうことを、より確実に回避することができ、利用者の利便性の低下を防止することができる。また、画像投影装置が未使用状態であるにもかかわらず画像データがわずかに変化している場合にも、確実に電力削減モードに移行し、省エネルギー効果を高めることができる。
以上のように、画像投影装置の未使用状態をより確実に検知して省エネルギー効果と利便性との両立を図ることができる。
（態様Ｂ）
上記態様Ａにおいて、前記複数の電力消費装置は、光源と冷却装置とを含み、前記電力削減モードでは、前記光源及び前記冷却装置の少なくとも一方に供給する電力を前記通常モードの実行時よりも削減する。これによれば、上記実施形態について説明したように、電力削減モードにおいて、消費電力が比較的大きい光源及び冷却装置の少なくとも一方に供給する電力を通常モードの実行時よりも削減することにより、省エネルギー効果を高めることができる。
（態様Ｃ）
上記態様Ａ又は態様Ｂにおいて、入力画像とカーソルの点滅などの操作用表示要素の画像とを合成して前記投影対象の画像の画像データを生成する手段を備える。これによれば、上記実施形態について説明したように、画像投影装置が未使用状態であるにもかかわらずカーソルの点滅などの操作用表示要素によって画像データがわずかに変化している場合にも、確実に電力削減モードに移行し、省エネルギー効果を高めることができる。
（態様Ｄ）
上記態様Ａ乃至Ｃのいずれかにおいて、前記電力削減モードを実行しているときに、前記検出手段で検出した前記画像データの変化量が所定値よりも大きくなったとき又は所定値以上になったとき、前記電力削減モードから前記通常モードに復帰する。これによれば、上記実施形態について説明したように、画像投影装置の使用再開時の入力画像の変化又は操作画面の変化などに合わせて、通常モードに復帰して投影画像を明るくすることができるので、利用者の利便性の低下を防止できる。
（態様Ｅ）
上記態様Ａ乃至Ｄのいずれかにおいて、前記検出手段は、前記投影対象の画像の画像データを２値化し、２値化したデータに基づいて前記変化量を検出する。これによれば、上記実施形態について説明したように、多値画像データに基づいて前記変化量を検出する場合に比して、前記検出手段をより簡易で安価な構成で実現することができる。
（態様Ｆ）
上記態様Ａ乃至Ｅのいずれかにおいて、前記計時手段で用いられる前記所定値を変更する操作部１６などの手段を備える。これによれば、上記実施形態について説明したように、電力削減モードへ移行判定や通常モードへの復帰判定に用いられる、画像投影装置が未使用状態か否かの判断のための条件を、使用者の環境に合わせることができる。
（態様Ｇ）
上記態様Ａ乃至Ｆのいずれかにおいて、前記通常モードから前記電力削減モードへの移行の判定に用いられる前記所定時間を変更する操作部１６などの手段を備える。これによれば、上記実施形態について説明したように、電力削減モードへ移行するための条件を使用者の環境に合わせることができる。
【符号の説明】
【００３９】
１  プロジェクタ
２  直流電源
３  給電装置
４  冷却ファン
５  ファン（ＦＡＮ）制御部
６  カラーホイール制御部
１２  画像デバイス
１３  光学系
１４  デバイス制御部
１５  受信部
１６  操作部
２０  メモリ
２１  制御処理部
２３  カラーホイール
２４  ランプ
【先行技術文献】
【特許文献】
【００４０】
【特許文献１】特許第４６９２６１１号公報
【図１】
2014174260.tif 000003
【図２】
2014174260.tif 000004
【図３】
2014174260.tif 000005
【図４】
2014174260.tif 000006
【図５】
2014174260.tif 000007
【図６】
2014174260.tif 000008
【図７】
2014174260.tif 000009
【図８】
2014174260.tif 000010
【図９】
2014174260.tif 000011
【図１０】
2014174260.tif 000012
【図１１】
2014174260.tif 000013
【図１２】
2014174260.tif 000014
【図１３】
2014174260.tif 000015